(57)【要約】【課題】門扉を取付ける作業性を向上し、コストダウンに寄与することを目的とする。【解決手段】本発明は門扉１に対峙して構築されるブロック塀２の該門扉側の上下のブロック２ａ，２ａであって、該ブロック２ａ，２ａの前記門扉側の側面にはモルタル注入用溝８を設けることなく、アンカー９と共に各ブロック２ａ，２ａに固設されている門扉１の支持具４，４を設け、該支持具４，４に門扉１の扉体１ａの上下に固設した係合部５，５を回動自在に支持させるように構成されて成る門扉支持装置を提供する。【選択図】　図１
2004011370.tif 000002
【特許請求の範囲】
【請求項１】
門扉に対峙して構築されるブロック塀の該門扉側の上下のブロックであって、該ブロックの前記門扉側の側面にはモルタル注入用溝を設けることなく、アンカーと共に各ブロックに固設されている門扉の支持具を設け、該支持具に門扉の扉体の上下に固設した係合部を回動自在に支持させるように構成されて成る門扉支持装置。
【発明の詳細な説明】
【０００１】
【発明の属する技術分野】
この発明は門扉支持装置に関するものであり、特に、門扉を支持すべき門柱を省略し、そして、構築せられるブロック塀の門扉側上下のブロックを用いて門扉を支持するように構成された門扉支持装置に関するものである。
【０００２】
【従来の技術】
従来の門扉は、ブロック塀の場合、該ブロック塀の側方に門柱を立設し、この門柱の上下部に夫々肘金を設け、一方、この門扉の扉体の一側部の上下部に夫々肘壺を固設し、前記肘金をこの肘壺に夫々回転自在に遊嵌して門扉を前記門柱に取り付けたものが知られている。
【０００３】
【発明が解決しようとする課題】
上記従来例は門柱に肘金を設け、そして、この肘金を門扉の扉体の一側に設けた肘壺に回転自在に遊嵌して取り付けるのであるが、前記門柱がブロック塀の側方の基礎上に立設されるときには、該ブロック塀の門扉側のブロックの一部を破壊しなければならない。従って、該門扉を支持するための門柱の構築時の施工は困難且つ、煩雑であり、従って、門扉取付けの作業性も悪く、長期に及ぶ作業日数を必要とし、コストアップの要因となっている。
【０００４】
そこで、門扉を取付けるための作業工期を短縮し、コストダウンを計るために解決すべき技術的課題が生じてくるのであり、本発明は該課題を解決することを目的とする。
【０００５】
【課題を解決するための手段】
本発明は上記目的を達成するために提案せられたものであり、門扉に対峙して構築されるブロック塀の該門扉側の上下のブロックであって、該ブロックの前記門扉側の側面にはモルタル注入用溝を設けることなく、アンカーと共に各ブロックに固設されている門扉の支持具を設け、該支持具に門扉の扉体の上下に固設した係合部を回動自在に支持させるように構成されて成る門扉支持装置を提供するものである。
【０００６】
【発明の実施の形態】
以下、本発明の一実施の形態を図１乃至図６に従って詳述する。図１に於いて１は門扉である。該門扉１は両開きであってブロック塀２の門扉側のうち、門扉１を支持するための上下のブロック２ａ，２ａ，２ａ，２ａの側面から一部が露呈された各軸部３，３，３，３に門扉１の支持具であるところの肘金４，４，４，４が夫々取付けられている。一方、前記門扉１を構成する扉体１ａ，１ａの前記ブロック２ａ，２ａ側の上下であって、且つ、前記肘金４，４，４，４と対峙する個所に夫々該肘金４，４，４，４を係合するための肘壺５，５，５，５が設けられ、そして、該肘壺５，５，５，５に前記肘金４，４，４，４を回転自在に遊嵌している。
【０００７】
而して、図２に示す如く、前記肘金４，４は前記上下のブロック２ａ，２ａに一部を露呈して固設される前記軸部３，３に取付けられるのであるが、該軸部３，３は中空に形成され、そして、該中空部に雌螺子部３ａ，３ａが設けられ、各雌螺子部３ａ，３ａに前記肘金４，４の雄螺子部６，６を螺着して該肘金４，４を前記ブロック塀２の門扉側のブロック２ａ，２ａに取付けるのである。
【０００８】
又、図３に示す如く、前記肘壺５，５は長孔７，７が並列に開穿された第１プレート８の一端部に固着されており、一方、該第１プレート８と組み合わせて用いられる第２プレート１０には、図４に示す如く、長孔９，９が離間して直列に開穿されている。
【０００９】
而して、前記門扉１を組み立てる場合は、図２に示す如く前記上下のブロック２ａ，２ａの門扉側の側面に前記雌螺子部３ａ，３ａが開放されて該ブロック２ａ，２ａに埋設されている前記軸部３，３の該雌螺子部３ａ，３ａに前記肘金４，４の前記雄螺子部６，６を螺着して該肘金４，４を該ブロック２ａ，２ａに取付ける。
【００１０】
次に、前記扉体１ａの一側部上下部に前記第２プレート１０，１０の前記長孔９，９…を介して該第２プレート１０，１０を螺着し、且つ、該第２プレート１０，１０の夫々の一側部に前記長孔７，７…を介して前記肘壺５，５が固着された第１プレート８，８を螺着する。そして、前記肘金４，４を前記肘壺５，５に回転自在に遊嵌させて前記扉体１ａを前記ブロック２ａ，２ａに取り付け、前記長孔７，７及び前記長孔９，９の螺着位置を調節して該扉体１ａを適正な位置に取り付ける。
【００１１】
尚、図１に示す両開きの門扉に於いては、左右両方の扉体１ａ，１ａに前記構成が同様に採択されることは当然である。
而して、従来は前記門扉１を取付けるために該門扉１の扉体１ａを支持するための門柱が別途構築されていたのであるが、本発明はこの門柱を省略し、そして、ブロック塀２を構築する際、該ブロック塀２の門扉側の上下のブロック２ａ，２ａを用いて前記門扉１の扉体１ａを支持できるように構成されているのである。又、前記門扉１の扉体１ａの支持構造は前記一実施の形態に限定せられるべきではなく、任意の支持構造を採択できる。但し、前記ブロック２ａに埋設され、且つ、前記雌螺子部３ａが該ブロック２ａの側面に開放された軸部３並び該軸部３に取付けられる肘金４を採択したものに限られることは当然である。
【００１２】
又、本発明に於いては、前記門扉側の上下のブロック２ａ，２ａであって、且つ、門扉側の側面には隣接する相互のブロックを接合して楔代用に用いられるモルタル注入用溝を有せず、面一に構成されている。
【００１３】
そこで、該ブロック２ａ及び前記軸部３について図５及び図６に従って説明する。図中２はブロック塀であり、２ａは該ブロック塀２を構成するブロックのうち、前記門扉１に対面して配設されている門扉側のブロックであって、且つ、前記軸部３が埋設される上下のブロックを示す。
【００１４】
而して、通常該ブロックのうち長尺物は中間部上下方向に鉄筋を挿入し、又は挿入せずしてモルタルを注入して上下ブロックを結合するための丸孔１１，１１…を有し、更に、その左右側面に断面半円形のモルタル注入用溝１２，１２が設けられている。又、短尺物も通常はその中間に１個の前述の丸孔１１が設けられ、且つ、その左右側面にも前述の断面半円形のモルタル注入用溝１２，１２が設けられている。但し、本発明に於いては前述したように、門扉側のブロックであって、且つ、前記軸部３を固設するための前記上下のブロック２ａ，２ａの夫々の門扉側の側面は面一に形成されて前記モルタル注入用溝１２を有していない。勿論、前記モルタル注入用溝１２は隣接のブロックを合接したとき、双方のモルタル注入用溝１２，１２にて断面円形に形成され、ここにモルタルを注入して左右隣接のブロックを楔状に結合すると共に上下方向の各ブロックも前記丸孔７が一致して該モルタルによって上下ブロックが千鳥状に結合されてブロック塀２が構築されるのである。
【００１５】
而して、前記門扉側の上下のブロック２ａ，２ａのうち、図５に示すブロック２ａは長尺物であり、図６に示すブロック２ａは短尺物であるが、前記軸部３の埋設構造は双方とも同一である。
【００１６】
図５及び図６に於いては前記軸部３の先端部は該ブロック２ａの側面より突出されているが、該軸部３は該ブロック２ａの側面と面一又はやや凹設されてもよい。但し、該軸部３の中空部に設けられている雌螺子部３ａは該ブロック２ａの側面に開放されていなければならない。然るときは、前記肘金４の雄螺子部６が該雌螺子部３ａに容易に螺着することができる。
【００１７】
又、該軸部３の背部にアンカー１３が固設されており、該アンカー１３と共に該軸部３が該ブロック２ａに埋設されて一体的に該ブロック２ａに結合され、該軸部３は極めて強固に該ブロック２ａに固設されるのである。
【００１８】
斯くして、該軸部３に肘金４が取付けられ、そして、該肘金４を扉体１ａに設けられている肘壺５に回転自在に遊嵌することにより門扉１は該ブロック塀２の前記上下のブロック２ａ，２ａに容易に取付けられることができる。
【００１９】
尚、本発明は、本発明の精神を逸脱しない限り種々の改変を為すことができ、そして、本発明が該改変されたものに及ぶことは当然である。
【００２０】
【発明の効果】
本発明は上記一実施の形態にて詳述したように、ブロック塀の門扉側のブロックにアンカーと共に強固に埋設されて固定される軸部を設け、該軸部に肘金を固設し、一方、門扉の扉体一側に肘壺が設けられており、該肘壺に前記肘金を回転自在に遊嵌して門扉を前記上下のブロックに取付けることができるように構成されているので、門扉を取付ける際、従来一般に用いられている門柱を省略することが可能となる。而して、該門柱の構築のための施工は極めて困難且つ、煩雑であって、多大の時間と労力を必要としていた。従って、全体として門扉を取付けるための作業性が悪く、コストアップの要因となっていたのであるが、前述したように本発明によって門柱構築のための施工も省略され、工期が短縮されてコストダウンに寄与することができる等、正に著大なる効果を奏する発明である。
【図面の簡単な説明】
【図１】本発明の一実施の形態を示し、両開き門扉の正面図。
【図２】図１の門扉の扉体の取付状態を示す一部切欠正面図。
【図３】図１の門扉の扉体の取付状態を示す背面図。
【図４】図１の門扉の扉体を開いた状態を示す正面図。
【図５】長尺物のブロックに軸部を固設した状態を示す一部切欠平面図。
【図６】短尺物のブロックに軸部を固設した状態を示す一部切欠平面図。
【符号の説明】
１　　　　　門扉
１ａ　　　　扉体
２　　　　　ブロック塀
２ａ　　　　門扉側の上下に配設されるブロック
３　　　　　軸部
３ａ　　　　雌螺子部
４　　　　　肘金
５　　　　　肘壺
６　　　　　雄螺子部
１３　　　　　アンカー
【図１】
2004011370.tif 000003
【図２】
2004011370.tif 000004
【図３】
2004011370.tif 000005
【図４】
2004011370.tif 000006
【図５】
2004011370.tif 000007
【図６】
2004011370.tif 000008